(57)【特許請求の範囲】
【請求項１】
複数の電装品を有するシステムにおける結線状況を提示する装置であって、
前記電装品と実装配線とを接続する接続部材が有する接続部を特定するために該接続部ごとに対応付けられた接続部データを前記接続部材ごとにおよび前記接続部材が有する前記接続部ごとに記憶すると共に、実装配線を介して接続される一方の接続部材と他方の接続部材のうちの前記一方の接続部材における前記接続部の接続対象となる前記他方の接続部材における前記接続部を特定するために前記一方の接続部材の接続部ごとに対応付けられた結線データを、前記一方の接続部材の前記接続部ごとに記憶する接続データ記憶手段と、
前記接続部材の画像を、該接続部材が有する前記接続部の画像を含んで描画する画像データを前記接続部材ごとに記憶する画像データ記憶手段と、
前記接続部材が有する前記接続部のうちの一つの接続部を指定するための接続部指定手段と、
該指定された接続部に対応付けられた前記接続部データと前記結線データとを前記指定された接続部に基づいて前記接続データ記憶手段から抽出し、該抽出した前記接続部データと前記結線データとが対応する前記指定された接続部が前記接続データ記憶手段での前記結線データの記憶の際の前記一方の接続部材における前記接続部であるとして、前記指定された接続部の接続対象となる前記他方の接続部材における接続部を、前記抽出した前記結線データを前記接続データ記憶手段の記憶データと照合して特定し、該特定した接続部を有する前記他方の接続部材たる接続部材を、前記特定した接続部に対応する前記接続部データを前記接続データ記憶手段の記憶データと照合して特定する接続対象特定手段と、
前記指定された接続部を有する前記接続部材と接続対象として前記特定された接続部を有する前記接続部材とに対応する画像データを前記接続部材に基づいて前記画像データ記憶手段から読み出し、前記指定された接続部を有する前記接続部材と前記特定された接続部を有する前記接続部材の両接続部材を描画して表示するに当たり、前記指定された接続部と前記特定された接続部とがそれぞれの前記接続部材の画像に含まれて表示されつつ前記両接続部材が有する他の接続部と区別して表示される描画用のデータを生成する処理に前記読み出した画像データを処して、前記描画用のデータを前記読み出した画像データに基づいて生成し、該生成した描画用のデータに基づいて、前記指定された接続部と前記特定された接続部とを前記接続部材の画像に含ませて表示すると共に、前記指定された接続部と前記特定された接続部とを前記他の接続部と区別して表示する表示手段と
を備えることを特徴とする結線状況提示装置。
【請求項２】
請求項１記載の結線状況提示装置であって、
前記接続データ記憶手段は、電装品間を結線する配線接続部材が有する接続部についても前記接続部データを前記配線接続部材ごとにおよび前記配線接続部材が有する前記接続部ごとに記憶すると共に、前記結線データを前記配線接続部材の前記接続部ごとに記憶しており、
前記画像データ記憶手段は、前記配線接続部材についても前記接続部を該配線接続部材の画像に含んで描画する画像データを前記配線接続部材ごとに記憶しており、
前記接続対象特定手段は、前記指定された接続部に対応して前記抽出した接続部データと前記結線データに基づいて、前記指定された接続部の接続対象となる接続部および該接続部を有する前記配線接続部材を特定し、
前記表示手段は、前記接続対象として特定された接続部を有する前記配線接続部材に対応する画像データを前記特定した配線接続部材に基づいて前記画像データ記憶手段から読み出し、該読み出した画像データを前記描画用のデータを生成する前記処理に処して前記描画用のデータを生成し、該生成した描画用のデータに基づいて、前記配線接続部材の画像に前記接続部を含ませて表示すると共に、前記特定された接続部を前記配線接続部材が有する他の接続部と区別して表示する、結線状況提示装置。
【請求項３】
請求項１に記載の結線状況提示装置であって、
前記システムに含まれる電装品と接続部材および配線の実装状態を表すシステム回路図を表す回路図データを描画するための回路図データを、前記接続部材が含まれる回路部分を切り出し可能なデータとして記憶する回路図データ記憶手段と、
前記指定された接続部を有する前記接続部材を前記回路図データ記憶手段の前記回路図データに照合し、前記指定された接続部を有する前記接続部材が含まれる前記システム回路図における回路図部分を表示するデータを前記回路図データから切り出し、該切り出した回路図データに基づいて、前記特定した前記接続部材が含まれる前記システム回路図における回路図部分を表示する回路表示手段を有する、結線状況提示装置。
【請求項４】
請求項１ないし請求項３いずれかに記載の結線状況提示装置であって、
前記システムにおける前記電装品の位置情報と前記接続部材の接続位置情報を反映させて各電装品と前記接続部材および実装配線の配線レイアウトを示すレイアウト描画像を表示するためのレイアウト描画データを記憶するレイアウト描画データ記憶手段と、
前記レイアウト描画データに基づいて前記レイアウト描画像を表示すると共に、前記指定された接続部を有する前記接続部材を前記レイアウト描画データ記憶手段の前記レイアウト描画データに照合し、前記指定された接続部を有する前記接続部材についての前記配線レイアウトを他の接続部材についての前記配線レイアウトと区別して明示する処理を経て、前記指定された接続部を有する前記接続部材についての前記配線レイアウトを、前記レイアウト画像において、前記他の接続部材についての前記配線レイアウトと区別して明示するシステム表示手段を有する、結線状況提示装置。
【請求項５】
複数の電装品を有するシステムにおける結線状況をコンピュータを用いて提示するプログラムであって、
前記コンピュータに、
前記電装品と実装配線とを接続する接続部材が有する接続部を特定するために該接続部ごとに対応付けられた接続部データを前記接続部材ごとにおよび前記接続部材が有する前記接続部ごとに記憶すると共に、実装配線を介して接続される一方の接続部材と他方の接続部材のうちの前記一方の接続部材における前記接続部の接続対象となる前記他方の接続部材における前記接続部を特定するために前記一方の接続部材の接続部ごとに対応付けられた結線データを、前記一方の接続部材の前記接続部ごとに記憶する接続データ記憶手段と、
前記接続部材の画像を、該接続部材が有する前記接続部の画像を含んで描画する画像データを前記接続部材ごとに記憶する画像データ記憶手段と、
前記接続部材が有する前記接続部のうちの一つの接続部を指定するための接続部指定手段と、
前記ユーザーにより指定された接続部に対応付けられた前記接続部データと前記結線データとを前記指定された接続部に基づいて前記接続データ記憶手段から抽出し、該抽出した前記接続部データと前記結線データとが対応する前記指定された接続部が前記接続データ記憶手段での前記結線データの記憶の際の前記一方の接続部材における前記接続部であるとして、前記指定された接続部の接続対象となる前記他方の接続部材における接続部を、前記抽出した前記結線データを前記接続データ記憶手段の記憶データと照合して特定し、該特定した接続部を有する前記他方の接続部材たる接続部材を、前記特定した接続部に対応する前記接続部データを前記接続データ記憶手段の記憶データと照合して特定する接続対象特定手段と、
前記指定された接続部を有する前記接続部材と接続対象として前記特定された接続部を有する前記接続部材とに対応する画像データを前記接続部材に基づいて前記画像データ記憶手段から読み出し、前記指定された接続部を有する前記接続部材と前記特定された接続部を有する前記接続部材の両接続部材を描画して表示するに当たり、前記指定された接続部と前記特定された接続部とがそれぞれの前記接続部材の画像に含まれて表示されつつ前記両接続部材が有する他の接続部と区別して表示される描画用のデータを生成する処理に前記読み出した画像データを処して、前記描画用のデータを前記読み出した画像データに基づいて生成し、該生成した描画用のデータに基づいて、前記指定された接続部と前記特定された接続部とを前記接続部材の画像に含ませて表示すると共に、前記指定された接続部と前記特定された接続部とを前記他の接続部と区別して表示する表示手段としての機能を実現させるためのプログラム。
【請求項６】
請求項５記載のプログラムであって、
前記コンピュータを前記接続データ記憶手段として機能させる際、電装品間を結線する配線接続部材が有する接続部についても前記接続部データを前記配線接続部材ごとにおよび前記配線接続部材が有する前記接続部ごとに記憶すると共に、前記結線データを前記前記配線接続部材の前記接続部ごとに記憶する機能を実現させ、
前記コンピュータを前記画像データ記憶手段として機能させる際、前記配線接続部材についても前記接続部を該配線接続部材の画像に含んで描画する画像データを前記配線接続部材ごとに記憶する機能を実現させ、
前記コンピュータを前記接続対象特定手段として機能させる際、前記指定された接続部に対応して前記抽出した接続部データと前記結線データに基づいて、前記指定された接続部の接続対象となる接続部および該接続部を有する前記配線接続部材を特定する機能を実現させ、
前記コンピュータを前記表示手段として機能させる際、前記接続対象として特定された接続部を有する前記配線接続部材に対応する画像データを前記特定した配線接続部材に基づいて前記画像データ記憶手段から読み出し、該読み出した画像データを前記描画用のデータを生成する前記処理に処して前記描画用のデータを生成し、該生成した描画用のデータに基づいて、前記配線接続部材の画像に前記接続部を含ませて表示すると共に、前記特定された接続部を前記他の接続部と区別して表示する機能を実現するためのプログラム。
【請求項７】
請求項５記載のプログラムであって、
前記コンピュータに、
前記システムに含まれる電装品と接続部材および配線の実装状態を表すシステム回路図を表す回路図データを描画するための回路図データを、前記接続部材が含まれる回路部分を切り出し可能なデータとして記憶する回路図データ記憶手段と、
前記指定された接続部を有する前記接続部材を前記回路図データ記憶手段の前記回路図データに照合し、前記指定された接続部を有する前記接続部材が含まれる前記システム回路図における回路図部分を表示するデータを前記回路図データから切り出し、該切り出した回路図データに基づいて、前記特定した前記接続部材が含まれる前記システム回路図における回路図部分を表示する回路表示手段としての機能を実現するためのプログラム。
【請求項８】
請求項５ないし請求項７いずれか記載のプログラムであって、
前記コンピュータに、
前記システムにおける前記電装品の位置情報と前記接続部材の接続位置情報を反映させて各電装品と前記接続部材および実装配線の配線レイアウトを示すレイアウト描画像を表示するためのレイアウト描画データを記憶するレイアウト描画データ記憶手段と、
前記レイアウト描画データに基づいて前記レイアウト描画像を表示すると共に、前記指定された接続部を有する前記接続部材を前記レイアウト描画データ記憶手段の前記レイアウト描画データに照合し、前記指定された接続部を有する前記接続部材についての前記配線レイアウトを他の接続部材についての前記配線レイアウトと区別して明示する処理を経て、前記指定された接続部を有する前記接続部材についての前記配線レイアウトを、前記レイアウト画像において、前記他の接続部材についての前記配線レイアウトと区別して明示するシステム表示手段としての機能を実現するためのプログラム。
【請求項９】
請求項５ないし請求項８いずれか記載のプログラムを記録したコンピュータ読み取り可能な記憶媒体。
【請求項１０】
複数の電装品を有するシステムにおける結線状況を提示する装置であって、
表示機器を有しユーザー端末となるコンピュータとの間でデータの送受信可能とされたサーバーを備え、
前記サーバーは、
前記電装品と実装配線とを接続する配線接続部材が有する接続部を特定するために該接続部ごとに対応付けられた接続部データを前記配線接続部材ごとにおよび前記配線接続部材が有する前記接続部ごとに記憶し、実装配線を介して接続される一方の配線接続部材と他方の配線接続部材のうちの前記一方の配線接続部材における前記接続部の接続対象となる前記他方の配線接続部材における前記接続部を特定するために前記一方の配線接続部材の接続部ごとに対応付けられた結線データを前記一方の配線接続部材の前記接続部ごとに記憶し、前記配線接続部材を特定するために該配線接続部材ごとに対応付けられた特定データを記憶する接続データ記憶手段と、
前記配線接続部材の画像を、該配線接続部材が有する前記接続部の画像を含んで描画する画像データを前記配線接続部材ごとに記憶する画像データ記憶手段と、
ユーザーが前記コンピュータにおいて前記特定データを入力すると、該入力された前記特定データを前記コンピュータから受信し、該受信した特定データを前記接続データ記憶手段の記憶する前記特定データと照合して前記受信した特定データに対応する前記配線接続部材を特定する受信手段と、
前記受信した特定データに対応する前記配線接続部材の前記描画データを前記画像データ記憶手段から抽出し、該抽出した描画データに基づく前記配線接続部材の画像を該配線接続部材が有する前記接続部を含んだ第１描画像として前記コンピュータの表示機器に表示する描画データを生成し、該生成した描画データを前記コンピュータに送信する第１送信手段と、
前記コンピュータが前記送信を受けた描画データに基づいて前記表示機器に描画した前記第１描画像に含まれる接続部のうちの一つの接続部をユーザーが前記コンピュータに指示すると、前記コンピュータから前記指示された接続部の入力を受け、該入力を受けた前記指示された接続部に対応付けられた前記接続部データと前記結線データとを前記指定された接続部に基づいて前記接続データ記憶手段から抽出し、該抽出した前記接続部データと前記結線データに基づいて、前記指定された接続部の接続対象となる接続部および該接続部を有する前記配線接続部材を特定する接続対象特定手段と、
該特定済み配線接続部材の前記描画データを前記画像データ記憶手段から抽出し、該抽出した描画データに基づく前記特定済み配線接続部材の画像を該配線接続部材が有する前記接続部を含んだ第２描画像とし、該第２描画像と前記第１描画像とを含んだ画像を前記コンピュータの前記表示機器に表示する描画データを、前記第１描画像および前記第２描画像についての前記画像データに基づいて生成し、該生成した画像データを前記コンピュータに送信する第２送信手段とを備える
ことを特徴とする結線状況提示装置。
【発明の詳細な説明】
【０００１】
【発明の属する技術分野】
本発明は、複数の電装品を有するシステムにおける結線状況提示に関する。
【０００２】
【従来の技術】
例えば、車両では、エンジン制御の向上、ブレーキ制御の向上等を図るためシステムが複雑化している。ブレーキ制御では、ブレーキロックを回避して制動性を高めるＡＢＳが導入され、このＡＢＳシステムは、各輪ごとのブレーキ用アクチュエータやスピードセンサ等の電装品を複数備える。なお、エンジン制御では、排ガス循環システムやアンチノッキングシステム、アイドルスピードコントロールシステムなど、種々のものがある。
【０００３】
【発明が解決しようとする課題】
こうした各システムでは、システムの機能向上を図るためにより複雑化し電装品数も増加する傾向にあり、電装品の接続に用いる配線も増えている。また、配線の際には車両構成機器（例えば、エンジン、ラジエター等）を避けたりして、接続対象となる電装品まで配線されている。
【０００４】
ところで、各システムの保守・点検時には、電装品間の配線状況を調べる必要があり、この際には、システムの設計回路を配線とこの配線を電装品に接続するための種々のコネクターとを用いた回路図に書き換えたものが使われている。しかしながら、上記したようにシステムの複雑化や電装品数増加により、この書き換え回路図にあっても、当然に複雑化し、その回路図も一つのシステムについて数ページに亘る冊子状のものとなっている。このため、電装品間の信号伝達の状態を測定するに当たっては、その電装品に接続されているコネクタを回路図冊子で探し当て、当該電装品と接続されている電装品についてのコネクタを当該冊子を参照しつつその都度特定したりする必要があった。こうした作業には十分な注意力を要すると共に、煩雑であった。特に、ある電装品と他の電装品との接続が数頁の回路図に亘って示されているようなこともあり、こうした場合にはより煩雑であった。なお、車両を例に挙げ説明したが、船舶や航空機、工作機械、工場設備等にあっても同様である。
【０００５】
本発明は、上記問題点を解決するためになされ、システムの結線状況の把握を簡略化することを目的とする。
【０００６】
【課題を解決するための手段およびその作用・効果】
かかる課題の少なくとも一部を解決するため、本発明の第１の結線状況提示装置は、
複数の電装品を有するシステムにおける結線状況を提示する装置であって、
前記電装品と実装配線とを接続する接続部材が有する接続部を特定するために該接続部ごとに対応付けられた接続部データを前記接続部材ごとにおよび前記接続部材が有する前記接続部ごとに記憶すると共に、実装配線を介して接続される一方の接続部材と他方の接続部材のうちの前記一方の接続部材における前記接続部の接続対象となる前記他方の接続部材における前記接続部を特定するために前記一方の接続部材の接続部ごとに対応付けられた結線データを、前記一方の接続部材の前記接続部ごとに記憶する接続データ記憶手段と、
前記接続部材の画像を、該接続部材が有する前記接続部の画像を含んで描画する画像データを前記接続部材ごとに記憶する画像データ記憶手段と、
前記接続部材が有する前記接続部のうちの一つの接続部を指定するための接続部指定手段と、
該指定された接続部に対応付けられた前記接続部データと前記結線データとを前記指定された接続部に基づいて前記接続データ記憶手段から抽出し、該抽出した前記接続部データと前記結線データとが対応する前記指定された接続部が前記接続データ記憶手段での前記結線データの記憶の際の前記一方の接続部材における前記接続部であるとして、前記指定された接続部の接続対象となる前記他方の接続部材における接続部を、前記抽出した前記結線データを前記接続データ記憶手段の記憶データと照合して特定し、該特定した接続部を有する前記他方の接続部材たる接続部材を、前記特定した接続部に対応する前記接続部データを前記接続データ記憶手段の記憶データと照合して特定する接続対象特定手段と、
前記指定された接続部を有する前記接続部材と接続対象として前記特定された接続部を有する前記接続部材とに対応する画像データを前記接続部材に基づいて前記画像データ記憶手段から読み出し、前記指定された接続部を有する前記接続部材と前記特定された接続部を有する前記接続部材の両接続部材を描画して表示するに当たり、前記指定された接続部と前記特定された接続部とがそれぞれの前記接続部材の画像に含まれて表示されつつ前記両接続部材が有する他の接続部と区別して表示される描画用のデータを生成する処理に前記読み出した画像データを処して、前記描画用のデータを前記読み出した画像データに基づいて生成し、該生成した描画用のデータに基づいて、前記指定された接続部と前記特定された接続部とを前記接続部材の画像に含ませて表示すると共に、前記指定された接続部と前記特定された接続部とを前記他の接続部と区別して表示する表示手段と
を備えることを特徴とする。
【０００７】
上記構成を有する本発明の第１の結線状況提示装置では、接続部のうち少なくとも一つがユーザー等により指定されると、この指定された接続部のデータから、当該指定接続部と実装配線で接続された他の接続部を特定する。そして、この指定接続部と特定した他の接続部を表示する。この両接続部の表示に際しては、接続部材の画像に含ませて接続部を表示すると共に、この両接続部を、それぞれの接続部を有する接続部材が有する他の接続部と区別して表示する。この結果、ユーザーは、ある接続部を指定するだけで、この接続部とその接続相手である他の接続部を、接続部材の画像と共に視覚を通して容易に認知することができる。よって、システムの結線状況を容易に把握でき、保守・点検作業の労力軽減を図ることができる。
【０００８】
上記の構成を有する本発明の第１の結線状況提示装置は、以下の態様を採ることもできる。
即ち、前記接続データ記憶手段を、電装品間を結線する配線接続部材が有する接続部についても前記接続部データを前記配線接続部材ごとにおよび前記配線接続部材が有する前記接続部ごとに記憶すると共に、前記結線データを前記配線接続部材の前記接続部ごとに記憶したものとし、
前記画像データ記憶手段を、前記配線接続部材についても前記接続部を該配線接続部材の画像に含んで描画するための画像データを配線接続部材ごとに記憶したものとし、
前記接続対象特定手段を、前記指定された接続部に対応して前記抽出した接続部データと前記結線データに基づいて前記指定された接続部の接続対象となる接続部が前記配線接続部材のものであれば、前記接続対象となる前記接続部および該接続部を有する前記配線接続部材について前記抽出した接続部データと前記結線データに基づいて当該配線接続部材を特定するものとし、
前記表示手段を、前記接続対象として特定された接続部を有する前記配線接続部材に対応する画像データを前記特定した配線接続部材に基づいて前記画像データ記憶手段から読み出し、該読み出した画像データを前記描画用のデータを生成する前記処理に処して前記描画用のデータを生成し、該生成した描画用のデータに基づいて、前記配線接続部材の画像に前記接続部を含ませて表示すると共に、前記特定された接続部を前記配線接続部材が有する他の接続部と区別して表示するものとすることができる。
こうすれば、表示すべき接続部に加え、これを有する配線接続部材まで表示できるので、保守・点検作業の労力をより軽減できる。
【０００９】
また、前記表示手段は、表示すべき接続部を、該接続部を有する前記配線接続部材が有する他の接続部と区別して明示するようにすることもできる。こうすれば、指定した接続部と他の接続部の関係をユーザーは視認できるので、労力軽減の点でより好ましい。
【００１０】
また、前記システムに含まれる電装品と接続部材および配線の実装状態を表すシステム回路図を表す回路図データを描画するための回路図データを、前記接続部材が含まれる回路部分を切り出し可能なデータとして記憶する回路図データ記憶手段と、前記指定された接続部を有する前記接続部材を前記回路図データ記憶手段の前記回路図データに照合し、前記指定された接続部を有する前記接続部材が含まれる前記システム回路図における回路図部分を表示するデータを前記回路図データから切り出し、該切り出した回路図データに基づいて、前記特定した前記接続部材が含まれる前記システム回路図における回路図部分を表示する回路表示手段を有するようにすれば、特定した前記接続部材が含まれる前記システム回路図における回路図部分をも表示の上で視認できるので、労力軽減の点でより好ましい。
【００１１】
更に、前記システムにおける前記電装品の位置情報と前記接続部材の接続位置情報を反映させて各電装品と前記接続部材および各電装品間に亘る実装配線の配線レイアウトとを示すレイアウト描画像を表示するためのレイアウト描画データを記憶すると共に、前記レイアウト描画像における前記配線レイアウトと前記接続部材を特定するために前記実装配線ごとに対応付けられた配線データとを記憶するレイアウト描画データ記憶手段と、
前記レイアウト描画データに基づいて前記レイアウト描画像を表示すると共に、前記指定された接続部に接続された前記実装配線に対応する前記配線データを前記レイアウト描画データ記憶手段から読み出し、該読み出した配線データに対応する前記実装配線についての前記配線レイアウトを他の接続部材と該接続部材に接続された配線レイアウトと区別して明示する処理を経て、前記配線レイアウトを、前記レイアウト画像において、他の接続部材と該接続部材に接続された配線レイアウトと区別して明示するシステム表示手段を有するようにすることもできる。
こうすれば、実際のシステムと表示されたレイアウト描画像とを対比することで、ユーザー指定の接続部を有する接続部材に接続された配線レイアウトを実際のシステムにおいて容易に認知できる。このため、保守・点検作業の労力をより一層軽減できる。
【００１２】
また、上記課題の少なくとも一部を解決するため、本発明の第１のプログラムは、
複数の電装品を有するシステムにおける結線状況をコンピュータを用いて提示するプログラムであって、
前記コンピュータに、
前記電装品と実装配線とを接続する接続部材が有する接続部を特定するために該接続部ごとに対応付けられた接続部データを前記接続部材ごとにおよび前記接続部材が有する前記接続部ごとに記憶すると共に、実装配線を介して接続される一方の接続部材と他方の接続部材のうちの前記一方の接続部材における前記接続部の接続対象となる前記他方の接続部材における前記接続部を特定するために前記一方の接続部材の接続部ごとに対応付けられた結線データを、前記一方の接続部材の前記接続部ごとに記憶する接続データ記憶手段と、
前記接続部材の画像を、該接続部材が有する前記接続部の画像を含んで描画する画像データを前記接続部材ごとに記憶する画像データ記憶手段と、
前記接続部材が有する前記接続部のうちの一つの接続部を指定するための接続部指定手段と、
前記ユーザーにより指定された接続部に対応付けられた前記接続部データと前記結線データとを前記指定された接続部に基づいて前記接続データ記憶手段から抽出し、該抽出した前記接続部データと前記結線データとが対応する前記指定された接続部が前記接続データ記憶手段での前記結線データの記憶の際の前記一方の接続部材における前記接続部であるとして、前記指定された接続部の接続対象となる前記他方の接続部材における接続部を、前記抽出した前記結線データを前記接続データ記憶手段の記憶データと照合して特定し、該特定した接続部を有する前記他方の接続部材たる接続部材を、前記特定した接続部に対応する前記接続部データを前記接続データ記憶手段の記憶データと照合して特定する接続対象特定手段と、
前記指定された接続部を有する前記接続部材と接続対象として前記特定された接続部を有する前記接続部材とに対応する画像データを前記接続部材に基づいて前記画像データ記憶手段から読み出し、前記指定された接続部を有する前記接続部材と前記特定された接続部を有する前記接続部材の両接続部材を描画して表示するに当たり、前記指定された接続部と前記特定された接続部とがそれぞれの前記接続部材の画像に含まれて表示されつつ前記両接続部材が有する他の接続部と区別して表示される描画用のデータを生成する処理に前記読み出した画像データを処して、前記描画用のデータを前記読み出した画像データに基づいて生成し、該生成した描画用のデータに基づいて、前記指定された接続部と前記特定された接続部とを前記接続部材の画像に含ませて表示すると共に、前記指定された接続部と前記特定された接続部とを前記接続部材が有する他の接続部と区別して表示する表示手段としての機能を実現させることを特徴としている。
【００１３】
この場合、前記コンピュータを前記接続データ記憶手段として機能させる際、電装品間を結線する配線接続部材が有する接続部についても前記接続部データを前記配線接続部材ごとにおよび前記配線接続部材が有する前記接続部ごとに記憶すると共に、前記結線データを前記前記配線接続部材の前記接続部ごとに記憶する機能を実現させ、
前記コンピュータを前記画像データ記憶手段として機能させる際、前記配線接続部材についても前記接続部を該配線接続部材の画像に含んで描画する画像データを前記配線接続部材ごとに記憶する機能を実現させ、
前記コンピュータを前記接続対象特定手段として機能させる際、前記指定された接続部に対応して前記抽出した接続部データと前記結線データに基づいて前記指定された接続部の接続対象となる接続部が前記配線接続部材のものであれば、前記接続対象となる前記接続部および該接続部を有する前記配線接続部材について前記抽出した接続部データと前記結線データに基づいて当該配線接続部材を特定する機能を実現させ、
前記コンピュータを前記表示手段として機能させる際、前記接続対象として特定された接続部を有する前記配線接続部材に対応する画像データを前記特定した配線接続部材に基づいて前記画像データ記憶手段から読み出し、該読み出した画像データを前記描画用のデータを生成する前記処理に処して前記描画用のデータを生成し、該生成した描画用のデータに基づいて、前記配線接続部材の画像に前記接続部を含ませて表示すると共に、前記特定された接続部を前記配線接続部材が有する他の接続部と区別して表示する機能を実現するためのプログラムとすることもできる。また、前記コンピュータに、接続部材と配線接続部材とを接続する実装配線の画像を表示するための実装配線データを記憶する実装配線データ記憶手段と、前記指定された接続部を有する前記接続部材と前記配線接続部材とを接続する実装配線に対応する前記実装配線データを前記実装配線データ記憶手段から読み出し、該読み出した実装配線データと前記特定した前記接続部材と前記配線接続部材についての前記画像データとに基づいて、前記実装配線データに基づいた前記実装配線の画像を前記画像データに基づいた前記接続部材と前記配線接続部材の画像に併せて表示する回路表示手段としての機能を実現するためのプログラムや、前記システムにおける前記電装品の位置情報と前記接続部材の接続位置情報を反映させて各電装品と前記接続部材および各電装品間に亘る実装配線の配線レイアウトとを示すレイアウト描画像を表示するためのレイアウト描画データを記憶すると共に、前記レイアウト描画像における前記配線レイアウトと前記接続部材を特定するために前記実装配線ごとに対応付けられた配線データとを記憶するレイアウト描画データ記憶手段と、前記レイアウト描画データに基づいて前記レイアウト描画像を表示すると共に、前記指定された接続部に接続された前記実装配線に対応する前記配線データを前記レイアウト描画データ記憶手段から読み出し、該読み出した配線データに対応する前記実装配線についての前記配線レイアウトを他の接続部材と該接続部材に接続された配線レイアウトと区別して明示する処理を経て、前記配線レイアウトを、前記レイアウト画像において、他の接続部材と該接続部材に接続された配線レイアウトと区別して明示するシステム表示手段しての機能を実現するためのプログラムとすることもできる。
そして、こうしたプログラムを記録したコンピュータ読み取り可能な記録媒体とすることもできる。なお、こうしたプログラムを含むことで搬送路内に具現化されたデータ信号の態様とすることもできる。他の態様としては、こうしたプログラムを通信経路を介して供給するプログラム供給装置としての態様とすることもできる。この態様では、プログラムをネットワーク上のサーバーなどに置き、通信経路を介して、必要なプログラムをコンピュータにダウンロードし、これを実行することで、上記の結線状況提示を実現することができる。
【００１４】
上記構成を有する本発明の第１のプログラムおよび記録媒体でも、上記した本発明の結線状況提示装置と同様な作用・効果を奏することができ、保守・点検作業の労力軽減を図ることができる。
【００１５】
また、かかる課題の少なくとも一部を解決するため、本発明の第２の結線状況提示装置は、
複数の電装品を有するシステムにおける結線状況を提示する装置であって、
表示機器を有しユーザー端末となるコンピュータとの間でデータの送受信可能とされたサーバーを備え、
前記サーバーは、
前記電装品と実装配線とを接続する配線接続部材が有する接続部を特定するために該接続部ごとに対応付けられた接続部データを前記配線接続部材ごとにおよび前記配線接続部材が有する前記接続部ごとに記憶し、実装配線を介して接続される一方の配線接続部材と他方の配線接続部材のうちの前記一方の配線接続部材における前記接続部の接続対象となる前記他方の配線接続部材における前記接続部を特定するために前記一方の配線接続部材の接続部ごとに対応付けられた結線データを前記一方の配線接続部材の前記接続部ごとに記憶し、前記配線接続部材を特定するために該配線接続部材ごとに対応付けられた特定データを記憶する接続データ記憶手段と、
前記配線接続部材の画像を、該配線接続部材が有する前記接続部の画像を含んで描画する画像データを前記配線接続部材ごとに記憶する画像データ記憶手段と、
ユーザーが前記コンピュータにおいて前記特定データを入力すると、該入力された前記特定データを前記コンピュータから受信し、該受信した特定データを前記接続データ記憶手段の記憶する前記特定データと照合して前記受信した特定データに対応する前記配線接続部材を特定する受信手段と、
前記受信した特定データに対応する前記配線接続部材の前記描画データを前記画像データ記憶手段から抽出し、該抽出した描画データに基づく前記配線接続部材の画像を該配線接続部材が有する前記接続部を含んだ第１描画像として前記コンピュータの表示機器に表示する描画データを生成し、該生成した描画データを前記コンピュータに送信する第１送信手段と、
前記コンピュータが前記送信を受けた描画データに基づいて前記表示機器に描画した前記第１描画像に含まれる接続部のうちの一つの接続部をユーザーが前記コンピュータに指示すると、前記コンピュータから前記指示された接続部の入力を受け、該入力を受けた前記指示された接続部に対応付けられた前記接続部データと前記結線データとを前記指定された接続部に基づいて前記接続データ記憶手段から抽出し、該抽出した前記接続部データと前記結線データに基づいて、前記指定された接続部の接続対象となる接続部および該接続部を有する前記配線接続部材を特定する接続対象特定手段と、
該特定済み配線接続部材の前記描画データを前記画像データ記憶手段から抽出し、該抽出した描画データに基づく前記特定済み配線接続部材の画像を該配線接続部材が有する前記接続部を含んだ第２描画像とし、該第２描画像と前記第１描画像とを含んだ画像を前記コンピュータの前記表示機器に表示する描画データを、前記第１描画像および前記第２描画像についての前記画像データに基づいて生成し、該生成した画像データを前記コンピュータに送信する第２送信手段とを備える
ことを特徴とする。
【００１６】
上記構成を有する本発明の第２の結線状況提示装置では、サーバーは、ユーザー端末のコンピュータがユーザーから入力を受けた特定データを受信して、この特定データに対応する配線接続部材の描画像を第１描画像として表示機器に表示する描画データを生成してコンピュータに送信する。
【００１７】
次に、特定した配線接続部材のうちの接続部のうちの一つの接続部をユーザーが前記コンピュータに指示すると、サーバーは、その指示されたその接続部の入力をコンピュータから受け、その指示された接続部に対応付けられた前記接続部データと前記結線データとを前記指定された接続部に基づいて前記接続データ記憶手段から抽出し、該抽出した前記接続部データと前記結線データに基づいて、前記指定された接続部の接続対象となる接続部および該接続部を有する配線接続部材を特定する。こうして新たに特定された配線接続部材の描画像をその配線接続部が有する接続部を含んだ第２描画像とし、該第２描画像と第１描画像とを含んだ画像を前記コンピュータの前記表示機器に表示する描画データを、前記第１描画像および前記第２描画像についての前記画像データに基づいて生成し、該生成した画像データをコンピュータに送信する。
【００１８】
これにより、ユーザーが接続状況の把握を求めるある配線接続部材と接続部とを、この接続部の接続対象となる新たな配線接続部材とその接続部と共に表示することが可能となる。この結果、ユーザーは、ある配線接続部材とそれに含まれる接続部を特定するだけで、この配線接続部材と接続部の接続相手である新たな配線接続部材並びに接続部を、視覚を通して容易に認知することができる。よって、システムの結線状況を容易に把握でき、保守・点検作業の労力軽減を図ることができる。
【００１９】
このように、本発明の第２の結線状況提示装置では、サーバーを、コンピュータからの要求に応じて配線接続部材の特定処理やその描画データの記憶・送信を行うものとしたのであり、コンピュータの側で、描画データ等に基づく画像を表示するようにするようにした。よって、この結線状況提示装置にあっては、サーバーとユーザー端末のコンピュータの分散処理を図ることができる。
【００２２】
【発明の実施の形態】
次に、本発明に係る結線状況提示の実施の形態を実施例に基づき説明する。図１は本発明を車両の各電装品間の結線状況を表示するものに適用した第１実施例の結線表示システム１０の概略構成を示すブロック図、図２はこの結線表示システム１０を用いた概念図である。
【００２３】
図示するように、この結線表示システム１０は、表示機器としてのＣＲＴディスプレイ１２と、入出力機器としてのキーボード１４と、マウス１６とを有する。また、結線表示システム１０は、データを記憶するハードディスクドライブ（以下、ＨＤＤと呼ぶ）１８と、ＣＤ−ＲＯＭ２０の内容を読み取るＣＤドライブ２２とを備え、これらを統括制御する中央演算処理装置としてのＣＰＵ２４を、上記各機器並びにＲＡＭ２６、ＲＯＭ２８と相互にバスに接続して備える。結線表示システム１０は、こうした構成を備えることから、この第１実施例ではコンピュータ単独で構成され、検査車両周囲で移動できるよう、図示しない架台に設置されている。なお、図中に示すよう、コンピュータ１１をサーバー３０にネットワーク（例えば、インターネット）を介して接続し、このコンピュータ１１とサーバー３０とで、結線表示システムを構成するようにすることもでき、この場合には、ネットワーク制御回路３２が付加される。サーバー３０を用いた結線表示システムについては、第２実施例として後述する。
【００２４】
ＣＰＵ２４は、ＨＤＤ１８に格納されている後述の結線状況表示プログラムを実行し、その際に、ＨＤＤ１８やＣＤドライブ２２のデータの読み込み、ＲＡＭ２６への一時的なデータの書き込みや読み出し、ＣＲＴディスプレイ１２の表示制御等を行う。ＣＤ−ＲＯＭ２０は、ＨＤＤ１８に転送すべき結線状況プログラムや後述の各種データを予め格納しており、これらプログラム・データは、ＣＤドライブ２２を介してＨＤＤ１８に転送される。なお、結線状況プログラムやデータは、ＣＤ−ＲＯＭ２０に格納されたものに替えて、フロッピィディスク、光磁気ディスクのほか、ＩＣカード等の種々の携帯型記録媒体（可搬型記録媒体）から転送するように構成することもできる。また、コンピュータ１１をネットワーク制御回路３２を有するものとし、このネットワーク制御回路３２とこれが接続されたネットワーク（例えば、インターネット、イントラネット等）を介して、結線状況プログラムやデータを外部のサーバーから転送するように構成することもできる。こうしたサーバーからの転送は、結線状況表示実行の都度に当該処理実行に先立ち行うようにしたり、結線状況表示を最初に行う場合にのみ行い、その転送時にプログラムやデータをＨＤＤ１８に格納するようにすることもできる。
【００２５】
次に、結線表示システム１０におけるデータについて説明する。図３はこの結線表示システム１０で用いる結線データを説明するための説明図、図４はこの結線データに含まれているワイヤールーティングデータを説明するための説明図、図５は同じく結線データに含まれるコネクタ描画データを説明する説明図、図６は同じく結線データに含まれるシステム回路図データを説明するためその一部を表す説明図、図７は図６に示す回路図データの続きを示す説明図である。
【００２６】
図３に示すように、結線データには、種々のアクチュエータとその制御装置、例えば、エンジン関係であれば、エンジン気筒ごとのインジェクタや、ノッキングセンサ、エンジン回転数等とそれらを制御する電子制御装置を接続するためのコネクタに関するコネクタデータと、コネクタを使った配線状況を示すシステム回路図データと、各コネクタに接続された配線に関するワイヤールーティングデータとが含まれる。
【００２７】
コネクタに関するデータは、図５に示すように、各コネクタの端面形状とコネクタに含まれるピン番号とを描画するための画像データと、各コネクタの部品リストデータ、ピン番号の位置情報データと、結線情報データが含まれている。
【００２８】
画像データは、図５に示すようにコネクタ外観（輪郭）並びにピンナンバをＣＲＴディスプレイ１２に描画するための画像データである。そして、この画像データは、図中に示すように、コネクタを特定するコードナンバデータと、そのコネクタの色を特定する色データとを関連付けて、コネクタごとに記憶されている。
【００２９】
部品リストデータは、各コネクタがどの部品に装着されているかを示すデータであり、後述の検索の際のキーとして用いられる。例えば、６気筒エンジンの第３気筒目のインジェクタには、Ｉ８というコードナンバデータで特定されるコネクタ（図５参照）が使用されるが、このコネクタにはインジェクタ＃３という名称を付けて、これを部品リスト名とした。そして、この部品リスト名（インジェクタ＃３）をコネクタのコードナンバデータ（Ｉ８）に対応付けて、部品リストデータが構築されている。
【００３０】
ピン番号の位置情報データは、コネクタが有しているピンの位置、例えばＩ８のコネクタであれば、ピン１、ピン２の位置（この場合は、左右位置）を特定するデータである。結線情報データは、コネクタが有する各ピンとこれに接続された配線の情報（例えば、配線を区別する番号や色データ）と、この配線を介した接続先ピン番号と、このピンを有するコネクタを特定するための上記のコードナンバデータと、そのコネクタの部品リスト名とを対応付けたデータである。この場合、コネクタは、コードナンバデータと部品リスト名（例えば、上記のインジェクタ＃３）で特定可能であることから、結線情報データ構築に当たり、コードナンバデータと部品リスト名のいずれか一方のデータ記憶とすることもできる。なお、こうした結線情報データは、後述のシステム回路図データに含んで構築することもできる。
【００３１】
システム回路図データは、車両に含まれるシステム、例えばエンジン制御システム、ＡＢＳシステム、ライト制御システム、室内照明システム等の各システムごとに用意され、各システムについてのシステム回路図を描画するための画像データと、その回路図のシステムのタイトルを示すタイトルリストデータが含まれている。そして、このシステム回路図データは、各システムにおけるアクチュエータ・センサ・その電子制御装置等の設計回路に基づくものであり、これら電装品間の配線の実装状態を表す。例えば、図６、図７に示すように、エンジンコントロールシステムでは、上記のＩ８で示されるコネクタが装着されたインジェクタ＃３は、一方の端子が電源と、フューズボックス、イグニッションスイッチを介して接続され、他方の端子がエンジンコントロールモジュールの第３０番ピンと接続されていることを示している。この場合、この第３０番ピンは、Ｅ１５で特定されるコネクタのピン１に相当することも示されている。また、こうした接続機器を含む回路部分を切り出して表示するため、この回路部分を読み出すためのタグとなるコネクタの位置情報も、システム回路図データに含まれている。
【００３２】
画像データは、図６や図７に示すようなシステム回路図をＣＲＴディスプレイ１２に描画するための画像データである。なお、図には、回路中の電装品名称とこれに装着されたコネクタのコードナンバデータ、ピン番号、配線色等を併記させているが、コネクタをコードナンバデータで特定するので、このコードナンバデータに基づいて、上記のコネクタデータから電装品名称やピン番号等を表示するようにしてもよい。この画像データにあっても、システムごとに記憶されている。そして、システム回路図をＣＲＴディスプレイ１２に表示するに際しては、スクロール表示等の表示手法を採る。
【００３３】
タイトルリストデータは、各システムの名称を示すデータであり、後述の検索の際のキーとしても利用可能である。
【００３４】
ワイヤールーティングデータは、図４に示すように、各電装品間に亘る配線状況のイラストを、各電装品の配置位置を反映させて描画するための画像データと、各コネクタの部品リストデータが含まれている。
【００３５】
ワイヤールーティングデータの画像データは、図４に示すようなイラスト画像をＣＲＴディスプレイ１２に描画するための画像データであり、該当するシステムの構成電装品、機械部品、コネクタ接続位置、実装配線状況並びにコネクタを特定するコードナンバデータを含んでいる。そして、この画像データは、システムごとに記憶されている。また、描画レイアウトのうち、該当するコネクタとこれに接続された配線並びにコネクタのコードナンバデータをハイライト表示（例えば、フラッシュ表示や別の色での表示）を行うため、これらをレイアウト画像から読み出すためのタグとなる位置情報も、ワイヤールーティングデータに含まれている。
【００３６】
部品リストデータは、各システムの名称を示すデータであり、後述の検索の際のキーとしても利用可能である。
【００３７】
上記した各データは、車両のグレード、オプション、エンジンタイプ等によって異なるものであることから、検査対象となる車両ごとに、予めＣＤ−ＲＯＭ２０から読み込んだり、車両ごとのデータを記録したＣＤ−ＲＯＭ２０を交換使用する。もしくは、後述するように、こうしたデータはサーバに準備し、必要の都度、読み込むようにしたり、サーバーからは結果のみを受け取るようにすることもできる。
【００３８】
次に、本実施例の結線表示システム１０で行う結線表示処理について説明する。図８は結線表示システム１０が構築する結線検索・表示処理の機能ブロック図、図９は結線検索・表示処理を示すフローチャートである。
【００３９】
これら図面に示すように、結線表示システム１０は、これを構成するコンピュータ１１がＣＰＵ２４やＲＡＭ２６等を用いて、検索の元となる画面や検索途中の種々の画面並びに結果画面を表示する検索画面表示部４０と、検索のためのデータ処理とその結果の描画画面操作のための処理を行うデータ処理・表示制御部４２と、上記した種々のデータを記憶するデータ部４４とを構成し、次のようにして結線検索・表示処理を実行する。
【００４０】
図９に示すように、まず、ユーザー（保守点検者）からの検索キー入力を待機する（ステップＳ１００）。図１０は検索キー入力待機画面の様子を説明するための説明図、図１１はまた別の検索キー入力待機画面と検索キー入力後の表示画面を説明するための説明図である。
【００４１】
所定の操作（例えば、結線検索の開始キーの操作）があると、図１０や図１１に示す入力待機画面が検索画面表示部４０により表示される。この待機画面では、その上部にメニューバーが表示され、このメニューバーのタグ選択により処理が進むようになっている。
【００４２】
図１０は、メニューバーのコネクターリストタグＭ１を選択した場合に表示される待機画面であり、当該タグの選択により、画面左に、検索元のコネクタ名称（コネクタ装着対象品）の総てが順次（例えば、アルファベット順）一覧表示される。ユーザーは、この一覧表示されたリストから、検索元となるコネクター名称をマウス等を操作して選択する。なお、図中の全コネクタ表示ボタンＡＢを操作してもよい。
【００４３】
この他、システムサーキットタグＭ２を用いることもできる。この場合は、システムサーキットタグＭ２の選択により、検査対象車両が備えるシステムが一覧表示され（例えば、エンジンコントロールシステム、エアコン制御システム等）、その一覧表示のシステムから検査対象コネクタを含むシステムを選択すると、当該選択システムに含まれるコネクタ名称（コネクタタイプ）が上記したように表示される。よって、このコネクタ名称一覧から検索元コネクタを選択する。また、図面左上には、コネクタ名称を入力する入力欄とサーチボタンＳＢが用意されており、次のようにしてコネクタを選択することもできる。
【００４４】
図１１に示すように、まず、コネクタ名称の一部を入力し、サーチボタンＳＢを操作する。すると、入力コネクタ名称を一部に含むコネクタ名称が列記されるので（ｉｎｊｅｃｔｏｒ  Ｎｏ．１〜Ｎｏ．６）、検索対象元のコネクタ名称を選択する。
【００４５】
こうしてユーザーによりコネクタ名称が検索元パーツ名として選択されると、そのデータ（検索元パーツコード）はデータ処理・表示制御部４２に渡され、データ処理・表示制御部４２は、この検索元パーツコードをキーに、検索元パーツを特定すると共に、そのパーツの表示に必要な処理を行う（ステップＳ１１０）。つまり、データ処理・表示制御部４２は、入力検索元パーツコードをデータ部４４のコネクタデータの部品リストデータに照合し、一致する部品リスト名に対応するコネクタの画像データを特定する。そして、この画像データに基づいた画像を検索画面表示部４０によりＣＲＴディスプレイ１２に表示させる。
【００４６】
図１２は検索元として入力・特定されたコネクタの描画像を示す説明図である。図示するように、検索元パーツの特定が済むと、そのパーツの外観図（輪郭図）がピン番号数字と共に画像表示され、部品名称（コネクタ装着対象部品の名称）が名称欄に、そのコネクタのコードナンバがコード欄に、パーツナンバーとコネクタの色がそれぞれの表示欄にテキスト表示される。図では、インジェクタ＃３が左側リストで選択（反転表示）されたので、これに該当するコネクタＩ８（図５参照）の外観図と部品名称（Ｉｎｊｅｃｔｏｒ  Ｎｏ．３）とコードナンバ（Ｉ８）とその他の上記テキストが表示される。なお、パーツナンバーデータは、部品リストデータとは別のデータ或いは部品リストデータの一部データとして、コネクタデータに含まれている。
【００４７】
この図１２に示す画面は、次の検索キーの入力待機画面となり、この画面で、ユーザー（保守点検者）からの検索キー入力を待機する（ステップＳ１２０）。ユーザーは、この画面に表示されたピン番号数字を選択することで、検索キー（検索元ピン番号）を入力する。この検索元ピン番号の入力があると、まず、検索画面表示部４０或いはデータ処理・表示制御部４２は、その入力があったピン番号数字をハイライト表示する（ステップＳ１３０）。このハイライト表示には、種々の表示手法を採用することができ、○で囲んだ表示としたり、番号をフラッシュさせりできる。
【００４８】
次いで、入力検索元ピン番号と入力済み検索元パーツをキーに、検索元パーツ（コネクタ）の入力検索元ピン番号のピンと接続されたピンとそのピンを有する検索先パーツ（コネクタ）を検索・特定する（ステップＳ１４０）。つまり、データ処理・表示制御部４２は、上記のように特定済みの検索元コネクタについての入力検索元ピン番号をデータ部４４の結線情報データ等に照合し、一致する接続先ピン番号とこのピンを有するコネクタ（接続先コネクタ）の部品リスト名を検索・特定し、これに対応するコネクタの画像データを特定する。
【００４９】
次に、データ処理・表示制御部４２は、継続検索を行う必要があるか否かを判断する（ステップＳ１５０）。例えば、ある部品と他の部品を接続配線するに際し、回路構成の簡略化等のために配線を分岐したり合流したりする場合がある。こうした場合は、電装品には直接装着されない分岐コネクタや継電コネクタが用いられ、これらを配線中に介在させて電装品間を結線する。こうした回路構成を採る場合、コネクタデータの結線情報データは配線とこの配線の接続先であるコネクタ・ピンのデータを含むようにされている都合から、接続対象となる電装品（即ち、電装品装着コネクタ）を特定できない。よって、ステップＳ１４０で検索・特定した接続先パーツがこうした分岐コネクタや継電コネクタである場合には、これらコネクタが更に接続されている電装品に装着されるコネクタをも検索する。従って、ステップＳ１５０で肯定判断した場合は、最終的な接続先であるコネクタを検索・特定するよう、上記のステップＳ１４０の処理を繰り返す。なお、ステップＳ１００における検索キー入力待機の際に直接、これら分岐コネクタや継電コネクタが入力された場合は、その入力コネクタ並びにピンの描画を行い（ステップＳ１１０）、ステップＳ１２０での検索元ピン番号の入力、ステップＳ１３０でのピン区分表示を経て、ステップＳ１４０では、当初から複数接続先の検索・特定がなされる。
【００５０】
ステップＳ１５０の継続検索に続いては、接続先のコネクタが複数検索されたか否かを判断する（ステップＳ１６０）。これは、分岐コネクタを用いたような場合は、一つの検索元コネクタの検索元ピンが複数のコネクタのピンに接続されている状況に備えてのものである。
【００５１】
このステップＳ１６０で肯定判断した場合は、即ち、接続先コネクタが複数とされた場合は、次のようにして接続先コネクタの特定を行う。つまり、検索された複数の接続先コネクタに関する各コネクタのパーツ情報をコネクタデータの結線情報データ、部品リストデータ等から収集して、これを表示する（ステップＳ１７０）。図１３は分岐コネクタ（Ｊｕｎｃｔｉｏｎコネクタ）が配線間に介在する場合或いはこのコネクタが検索元コネクタとして入力された場合の画面表示の様子を説明する説明図である。
【００５２】
図示するように、この場合には、該当する分岐コネクタの外観図と、ピン番号数字並びに入力済みピン番号（○囲い表示）が描画され、この描画と共に、複数の接続対象となっているコネクタに関するパーツ情報が画面左上に一覧表示される。この画面によれば、分岐コネクタのピン番号１，６，７のピンはコネクタ内で短絡結線されており、このピンのいずれかを介して、コードナンバＥ５のコネクタのピン番号２のピンと、コードナンバＥＤのアース接点端子、コードナンバＩ１のコネクタのピン番号３のピンに分岐接続されていることが判る。
【００５３】
この画面は、複数の接続先の選定のための入力待機画面となり、この画面で、ユーザーからのコード特定キー入力を待機する（ステップＳ１８０）。ユーザーは、この画面に表示されたコードナンバを選択することで、接続先コネクタを入力する。この接続先コネクタの入力があると、検索画面表示部４０は、入力コードナンバをデータ部４４におけるコネクタデータの結線情報データ、部品リストデータ等に照合し、一致するコネクタを最終的なコネクタとして、当該コネクタと接続先ピン番号を特定し、これに対応するコネクタの画像データを特定して、この画像データに基づいて検索画面表示部４０に画像を表示させる（ステップＳ１９０）。図１４は接続先が複数有った場合の最終的な接続先コネクタを特定・表示した描画の様子を説明する説明図である。
【００５４】
図示するように、この画面では、最終的な接続先としてユーザーが入力・特定したコネクタの外観図がピン番号数字と共に表示され、接続先のピン番号については、○で囲ったハイライト表示とされている。しかも、この接続先コネクタは、これを検索する元となった分岐コネクタ或いは検索の途中結果としての分岐コネクタと共に、並んで表示されている。この場合、検索元となったコネクタを、上記の分岐コネクタ、最終的な接続先コネクタと共に表示するようにすることもできる。
【００５５】
一方、ステップＳ１６０で否定判断した場合、即ち、接続先コネクタが一つである場合は、それ以前のステップＳ１４０で接続先のコネクタを特定済みであるので、そのコネクタを表示すべく上記したステップＳ１９０に移行する。図１５は接続先が一つであった場合の画像表示の様子を説明する説明図である。この場合には、図示するように、検索元のコネクタと接続先のコネクタとを並べて表示し、検索元・接続先のピンについてもハイライト表示を行っている。
【００５６】
この図１５に示すように、検索元コネクタと接続先コネクタとを表示した検索結果画面において、更に上記した接続検索を継続することができる。つまり、図１５に示す画面をステップＳ１２０におけるピン番号数字選択のための検索キー入力待機画面とし、ユーザー（保守点検者）からのピン番号数字（検索元ピン番号）の入力を待つ。そして、図中左側のコネクタ（Ｅ１５）が有する１〜３１のうち、それまでの検索結果のピン番号（この場合は、１）以外のピン番号の入力があると、この入力ピン番号数字を新たな検索元ピン番号としてステップＳ１３０以降の処理を実行する。これにより、新たな検索元ピン番号に基づき得られた新たな接続先コネクタの画像がコネクタ（Ｅ１５）と並んで表示される。また、この新たな接続先コネクタにおける接続先ピン番号も上記のように区別表示される。この場合、新たな接続先コネクタ画像は、それまでの検索元コネクタ画像（Ｉ８）に変わって表示される。
【００５７】
なお、上記の検索継続は、それまでの検索結果画面における接続先コネクタのピン番号入力のみならず、当該画面における検索元コネクタのピン番号（図１５では、ピン番号２）の入力が有った場合も実行される。つまり、検索結果画面における検索元・接続先のいずれのコネクタについても、新たなピン番号入力により、継続検索が実行される。
【００５８】
上記した表示画像のうち、図１４や図１５に示した検索元コネクタと接続先コネクタを並んで描画した画面は、コンピュータ１１とネットワークにて接続された図示しないプリンターにて印刷するよう構成することもできる。
【００５９】
次に、この結線表示システム１０がなす他の機能について説明する。上記した画面表示を行う際に、結線表示システム１０は、検索画面表示部４０により或いはデータ処理・表示制御部４２を介して、画面上にシステムサーキット表示ボタンＨＳとワイヤールーティング表示ボタンＨＷをコネクタ外観図に並べて表示させる。これらは、コネクタ外観図が表示されると操作可能となり、システムサーキット表示ボタンＨＳが操作されると、次のようにしてシステムサーキットを表示する。図１６は図１５に示す画像においてインジェクタ＃３のシステムサーキット表示ボタンＨＳを操作した場合の画面表示の様子を説明する説明図、図１７は同じくインジェクタ＃３のワイヤールーティング表示ボタンＨＷを操作した場合の画面表示の様子を説明する説明図である。
【００６０】
このシステムサーキット表示ボタンＨＳが操作されると、検索画面表示部４０からデータ処理・表示制御部４２にボタン操作の旨が伝わる。データ処理・表示制御部４２は、操作対象となったコネクタ（インジェクタ＃３）についてのコードナンバデータをデータ部４４のシステム回路図データに照合し、このコネクタ（インジェクタ＃３）を含む回路部分をシステム回路図の画像データから切り出して該当する回路部分を表示する（図１６参照）。この場合、切り出し回路部分が含まれるシステム回路の特定や切り出し部分の特定には、このコネクタ（インジェクタ＃３）についての位置情報が用いられる。こうした回路表示に当たり、接続されている配線についての情報、例えば配線色をカラー表示したり記号表示することもできる。なお、図６や図７に示したシステム回路図のうち、コネクタ（インジェクタ＃３）の周辺のコネクタ、例えば同種のコネクタ（インジェクタ＃１〜＃６）を含む分を切り出し、コネクタ（インジェクタ＃３）に関連する回路部分のみをハイライト表示等するようにすることもできる。
【００６１】
ワイヤールーティング表示ボタンＨＷが操作されると、検索画面表示部４０からデータ処理・表示制御部４２にボタン操作の旨が伝わる。データ処理・表示制御部４２は、操作対象となったコネクタ（インジェクタ＃３）についてのコードナンバデータをデータ部４４のワイヤールーティングデータに照合し、このコネクタ（インジェクタ＃３）を含むシステムについてのイラスト画像を図１７に示すように表示すると共に、コネクタ（インジェクタ＃３）に接続されている配線軌跡（レイアウト）を区別してこれらをハイライト表示する。この場合、検索元コネクタ（インジェクタ＃３）が含まれるシステムのワイヤールーティングの特定やハイライト表示部分の特定には、このコネクタ（インジェクタ＃３）についての位置情報が用いられる。
【００６２】
以上説明したように本実施例の結線表示システム１０では、保守・点検等の作業に際して、その作業者（ユーザー）が検索元のコネクタとそのピンを指定するだけで、このユーザーに、保守・点検作業の対象となる接続先コネクタとピンを容易に認知させることができる。よって、作業の簡略化や効率向上を図ることができるほか、保守・点検の信頼性を高めることができる。しかも、認知に際しては、検索元・接続先の両コネクタをその外観を並べて提示するので、作業対象となる両コネクタを誤認してしまうようなことも有効に回避することができる。
【００６３】
また、コネクタ・ピンの画像提示に際し、検索元のピンと接続先のピンを共にハイライト表示するので、より視認性を高めて誤認回避に有効である。
【００６４】
更に、ユーザーからの要求に応じて検索元・接続先の両コネクタを含んだ回路部分を表示するので、回路における両コネクタとピンへの配線接続状況などを容易に把握させることができ、労力軽減に寄与することができる。この際、実装されている配線の色情報データを記憶しておき、この色情報に基づいて配線色や色記号を表示するので、配線状況把握がより容易とできる。
【００６５】
また、図１７に示すように、コネクタの装着対象となる電装品とそのコネクタ位置、配線の実装状況を、これらの位置関係を含むレイアウト図で示し、この図面において検索元（または接続先）のコネクタと実装配線をハイライト表示する。よって、より実物に即した配線状況を確実に視認でき、保守・点検作業の労力をより一層軽減できる。
【００６６】
次に、第２実施例について説明する。この第２実施例は、ユーザー端末となるクライアントコンピュータと、当該コンピュータと通信可能に接続されたサーバーで結線表示システムを構成している点に特徴がある。つまり、この第２実施例では、図２に示したように、コンピュータ１１をクライアントコンピュータとして備え、このコンピュータ１１をサーバー３０にネットワークを介して接続して有する。この場合には、コンピュータ１１は、図１に示すようにネットワーク制御回路３２を有する。
【００６７】
図１８は第２実施例の結線表示システム５０の概略構成を示すブロック図である。図示するように、サーバー３０は、ＣＲＴディスプレイ３２と、キーボード３４と、マウス３６と、ＨＤＤ３８と、ネットワーク制御回路３９と、ＣＤ−ＲＯＭ２０の内容を読み取るＣＤドライブ４０とを備え、これらをＲＡＭ４２、ＲＯＭ４４と共にＣＰＵ４６に相互に接続して備える。そして、結線表示システム５０は、このサーバー３０とコンピュータ１１とを、インターネット、イントラネット、ローカルエリアネットワーク（ＬＡＮ）等のネットワークを介して接続して有する。
【００６８】
なお、プログラム・データのＨＤＤ３８への転送は、既述したように、ＣＤドライブ２２を介してＨＤＤ１８に転送する他、フロッピィディスク、光磁気ディスク、ＩＣカード等の種々の携帯型記録媒体（可搬型記録媒体）から転送するようにしたりすることもできる。
【００６９】
図１９はサーバー３０とコンピュータ１１とを有する結線表示システム５０が構築する結線検索・表示処理の機能プロック図である。図示するように、結線表示システム５０は、上記した第１実施例が行う検索・表示処理をコンピュータ１１とサーバー３０で分散処理するよう構成され、コンピュータ１１は、ウェブブラウザ１１ａと表示制御部１１ｂとを有する。よって、コンピュータ１１は、ウェブブラウザ１１ａよりインターネットを介して画像情報を取り込み、その情報に基づく画像を表示制御部１１ｂによりＣＲＴディスプレイ１２に表示する。
【００７０】
サーバー３０は、ｈｔｔｐサーバー３０ａを備え、接続されたコンピュータのＯＳに依存しない汎用性の高いサーバー環境を有する。つまり、サーバー３０は、ジャバサーブレットインターフェース（Ｊａｖａ  Ｓｅｒｖｌｅｔ  Ｉｎｔｅｒｆａｃｅ）３０ｂと、ジャバサーブレット実行環境３０ｃと、ジャバ実行環境３０ｃと、検索処理実行部３０ｅと、第１実施例で説明したコネクタデータ等を記憶する各種情報記憶部３０ｆとを有し、ウェブブラウザ（コンピュータ１１）からの要求に応じて後述の検索処理を実行し、その結果をｈｔｍｌファイルとしてウェブコンテンツ３０ｇに蓄えつつ要求元のウェブブラウザ（コンピュータ１１）に送信する。なお、処理の汎用性を高めるためにジャバサーブレットを用いたが、クライアントコンピュータが固定されているのであれば、そのコンピュータとのみの間で分散処理が可能な実行環境とすることもできる。
【００７１】
次に、この第２実施例の結線表示システム５０で行う結線表示処理について説明する。図２０は結線表示システム５０における結線検索・表示処理を示すフローチャートである。
【００７２】
図示するように、まず、コンピュータ１１がユーザーに操作され、処理開始が指示されると、その指示はコンピュータ１１からインターネットを介してサーバー３０のｈｔｔｐサーバー３０ａに送られる。サーバー３０は、これを受けて検索処理実行部３０ｅ等により、ユーザーからの検索キー入力待機画面コンテンツを作成し、これをコンピュータ１１に送信する（ステップＳ２００）。コンピュータ１１は、この待機画面をＣＲＴディスプレイ１２にブラウザ画面として表示し、検索キー入力を待機する（ステップＳ３００）。図２１は検索キー入力待機画面の様子を説明するための説明図であり、表示画面は、図１０で説明したとおりである。
【００７３】
この図２１の画面表示の状態で、コンピュータ１１にて、コネクタ名称入力欄にコネクタ名称の一部が入力されたとする。図２２はコネクタ名称入力後の画面表示の様子を説明する説明図である。すると、図示するように、コンピュータ１１は、入力文字を表示し、その後のサーチボタンＳＢ操作により、入力コネクタ名称を一部に含むコネクタ名称を列記表示する（ｉｎｊｅｃｔｏｒ  Ｎｏ．１〜Ｎｏ．６）。ユーザーは、この列記されたコネクタ名称を検索対象元のコネクタとして選択する。コンピュータ１１での名称列記表示は、検索処理開始時において、コネクタ名称一覧のデータをサーバー３０からコンピュータ１１のＨＤＤ１８に転送したり、コンピュータ１１の側でＣＤドライブ２２を介して読み込んでおくことで、実行される。
【００７４】
なお、図２１に示す待機画面において、メニューバーのコネクターリストタグＭ１やシステムサーキットタグＭ２が操作された場合は、第１実施例と同様の表示制御が、コンピュータ１１の側で実行される。この場合でも、システム名やコネクタ名称の表示にあっても、コンピュータ１１がその名称データのみを記憶しておくことで容易に実行できる。
【００７５】
図２２の画面において、ユーザーによりコネクタ名称（例えば、インジェクタ＃３）が検索元パーツ名として入力されると、コンピュータ１１は、パーツ名からパーツコードを引き当て、そのコードデータをサーバー３０に送信する（ステップＳ３１０）。サーバー３０は、このデータを受信すると、この検索元パーツコードをキーに、検索処理実行部３０ｅにより検索元パーツを特定すると共に、そのパーツの表示に必要な処理を行う（ステップＳ２１０）。この検索処理は、第１実施例における処理と同じであり、サーバー３０は、特定したコネクタの外観をピンと共に表示する検索中間結果の画面コンテンツを作成し、これをコンピュータ１１に送信する（ステップＳ２１０）。コンピュータ１１は、この中間結果画面をＣＲＴディスプレイ１２に表示し、検索キー（ピン番号）入力を待機する（ステップＳ３２０）。図２３は特定したコネクタの外観をピンと共に表示する検索中間結果の画面の様子を説明するための説明図であり、表示画面は、図１２で説明したとおりである。
【００７６】
図２３の画面は、図１２で説明したように次の検索元キー（ピン番号）の入力待機画面となり、この画面でユーザーによりピン番号数字が検索元ピン番号として入力されると、コンピュータ１１は、そのデータ（検索元ピン番号）をサーバー３０に送信する（ステップＳ３３０）。なお、ピン番号選択に伴い、コンピュータ１１は、その選択されたピン番号数字をハイライト表示する。
【００７７】
サーバー３０は、このデータを受信すると、入力検索元ピン番号と入力済み検索元パーツをキーに、検索元パーツ（コネクタ）の入力検索元ピン番号のピンと接続されたピンとそのピンを有する検索先パーツ（接続先コネクタ）を検索・特定する（ステップＳ２２０）。次いで、この接続先コネクタの表示に必要な処理を行う（ステップＳ２３０）。この検索・特定処理は、第１実施例における処理と同じであり、サーバー３０は、特定した接続先コネクタの外観をピンと共に表示する検索中間結果の画面コンテンツを作成する。この画像コンテンツでは、接続先コネクタの外観図と当該コネクタが有する総てのピン番号数字とを表示しつつ、検索元ピンと接続されたピンのピン番号数字をハイライト表示させるものである。
【００７８】
そして、サーバー３０は、特定済み接続先コネクタについて作成済みの結果画像コンテンツをコンピュータ１１に送信する（ステップＳ２３０）。この結果画面コンテンツは、図２４に示すように、検索元コネクタの外観図にハイライト表示する検索元ピン番号を含ませた検索元コネクタ画像と、接続先コネクタの外観図にハイライト表示する接続先ピン番号を含ませた接続先コネクタ画像を並べて含むものである。コンピュータ１１は、この結果画面をＣＲＴディスプレイ１２に表示する（ステップＳ３４０）。これにより、処理は終了する。
【００７９】
なお、第１実施例で説明したように、配線分岐・合流により継続検索を行う必要がある場合には、第１実施例におけるステップＳ１５０〜１８０までの処理がコンピュータ１１とサーバー３０で繰り返され、その都度、画面コンテンツの作成・画面表示が分担処理される。つまり、サーバー３０は、図２５に示すように、まず、継電コネクタ等をその外観とピン番号を表示する画像コンテンツを、検索元コネクタに関する情報から作成して、コンピュータ１１に表示させる。また、サーバー３０は、複数接続先からの選択を促す一覧形式の画面コンテンツＣＬＷを作成し、コンピュータ１１に、継電コネクタ外観図画面に重ねて表示させる。そして、コンピュータ１１は、選択されたコネクタデータをサーバー３０に送信し、サーバー３０は、図２６に示すように、選択コネクタデータに基づき特定した最終接続先コネクタと検索元コネクタとを並べて表示する画像コンテンツを作成し、これをコンピュータ１１に表示させる。
【００８０】
なお、上記したコンピュータ１１における各画面において、システムサーキット表示ボタンＨＳ或いはワイヤールーティング表示ボタンＨＷが操作されると、コンピュータ１１は、サーバー３０に各表示要求の信号を送信する。サーバー３０は、これを受け、第１実施例と同様にして、システムサーキット表示のための画像コンテンツやワイヤールーティング表示のための画像コンテンツを作成し、これをコンピュータ１１に送信する。従って、コンピュータ１１は、図１６や図１７に示した画像を表示する。
【００８１】
以上説明したように第２実施例の結線表示システム５０にあっても、ユーザーは、手元のコンピュータ１１で検索元のコネクタとそのピンを指定するだけで、保守・点検作業の対象となる接続先コネクタとピンを容易に認知（視認）できる。よって、作業の簡略化や効率向上を図ることができるほか、保守・点検の信頼性を高めることができるといった第１実施例と同様の効果を奏することができる。
【００８２】
また、第２実施例では、クライアントコンピュータをウェブブラウズが可能な構成とすればよいことから、コンピュータ１１をウェブブラウズとコンテンツ表示に特化した軽量・小型のものとできる。よって、図２７に示すように、コンピュータ１１を身体装着可能なものとし、表示装置を頭部装着型で透過型画面を有するものとして、作業者が保守点検作業を行いつつ、上記した検索元・接続先コネクタを視認できるようにすることもできる。
【００８３】
以上本発明の実施例について説明したが、本発明は上記の実施例や実施形態になんら限定されるものではなく、本発明の要旨を逸脱しない範囲において種々なる態様で実施し得ることは勿論である。例えば、上記の実施例では、車両に適用した例を説明したが、航空機、船舶、列車や工作機械等の保守点検に適用することもできる。
【００８４】
また、上記の実施例では、検索元のコネクタを含むシステム回路図をシステム毎に用意したが、これに替えて、図２８や図２９に示すような送配全図データを用いることもできる。この総配線図データであっても、既述したシステム回路図データと同様、アクチュエータ・センサ・その電子制御装置等の設計回路に基づくものであり、これら電装品間の配線状態を表し、回路図描画用の画像データや、コネクタの装着対象電装品名称、回路部分の読み出しのためのコネクタ位置情報を含んでいる。
【００８５】
更に、先に説明した本発明の第２の結線状況提示装置では、次のような形態を採ることもできる。まず、サーバーがコンピュータから特定データを受信するに当たっては、配線接続部材がユーザー端末のコンピュータにおいてユーザーによる特定データの入力を経て特定されるようにすることができる。そして、サーバーから描画データの送信を受けたコンピュータでは、この描画データにより、ユーザー特定すみの配線接続部材を、当該配線接続部材が有する接続部を含んだものとして表示機器に表示するようにできる。この際、当該描画像を表示するための描画データを２次元的描画、３次元的描画が可能のものとすることで、表示機器における描画像、引いてはユーザーが特定した配線接続部材表示の視認性を高めることができる。
【００８６】
次に、特定した配線接続部材のうちの接続部をユーザー端末のコンピュータからサーバーに指示するに当たっては、ユーザー端末のコンピュータにおけるユーザーの操作、例えば描画像における接続部のクリック、接続部のキー入力等により、コンピュータはその結果をサーバーに指示するようにできる。その後、コンピュータは、サーバーから既述した第１、第２の描画像を含んだ描画データを入力し、この描画データにより、配線接続部材と接続部を表示機器に表示する。この場合であっても、当該描画像を表示するための描画データを２次元的描画、３次元的描画が可能のものとすることで、表示機器における新たな配線接続部材表示の視認性を高めることができる。
【００８７】
このように、本発明の第２の結線状況提示装置では、サーバーとユーザー端末のコンピュータの分散処理を図って、ユーザーコンピュータでの処理負荷を軽減できる。よって、このユーザーコンピュータを軽量で低処理能力機のものとしたり、特化したコンピュータ（例えば、コンピュータ本体をユーザーのベルトやポケットに装着でき、表示機器を透過型のものとして眼前に装着するようなウェアラブルコンピュータ）とできる。こうすれば、実際の保守・点検作業を結線状況の表示結果を見ながら行うことができ、作業効率の向上を図ることができる。
【００８８】
この結線状況提示装置にあっては、サーバーからコンピュータに送られた表示データに基づいて、コンピュータにて、特定データの入力可能な入力画像を表示機器に表示するようにすることもできる。つまり、処理の当初に置いて、サーバからのデータ送信によりコンピュータで入力画面を表示するようにすることもできる。
【００８９】
そして、サーバー或いはコンピュータに、第２、第３の結線状況提示装置で既述したような各手段として機能を実現させるプログラムや、こうしたプログラムを記録したコンピュータ読み取り可能な記録媒体とすることもできる。なお、こうしたプログラムを含むことで搬送路内に具現化されたデータ信号の態様とすることもできる。他の態様としては、こうしたプログラムを通信経路を介して供給するプログラム供給装置としての態様とすることもできる。この態様では、プログラムをネットワーク上のサーバーなどに置き、通信経路を介して、必要なプログラムをコンピュータにダウンロードし、これを実行することで、上記の結線状況提示を実現することができる。
【００９０】
このようなプログラムおよび記録媒体でも、上記した本発明の結線状況提示装置と同様な作用・効果を奏することができ、保守・点検作業の労力軽減を図ることができる。
【００９１】
【発明の他の態様】
また、本発明は、次のような他の態様で実現することもできる。
即ち、複数の電装品を有するシステムにおける結線状況を提示する装置であって、
前記システムの設計回路に基づいて前記電装品間で実装した配線の実装配線データを記憶する実装データ記憶手段と、
前記電装品に配線を実装するために用いられ前記電装品の接続端子と実装配線とを接続する接続部を有する配線接続部材に関しての接続部データであって、前記接続部と前記実装配線との接続状況データと、前記接続部を含む配線接続部材の描画データと、前記配線接続部材を特定するための特定データとを有する前記接続部データを前記配線接続部材ごとに記憶する接続データ記憶手段と、
前記特定データがユーザーに入力されると、該入力された特定データに対応する前記配線接続部材の前記描画データを前記接続データ記憶手段から抽出し、該抽出した描画データに基づく前記配線接続部材の描画像を、前記接続部を含んだ第１描画像として表示機器に表示する第１表示手段と、
該表示した接続部のうちある接続部がユーザーに特定されると、該特定された接続部に接続された前記実装配線を前記接続状況データから特定し、該特定した実装配線の他の接続先である前記電装品を前記実装データ記憶手段の前記実装配線データから特定し、該特定した電装品と前記特定済み実装配線との接続を図る前記接続部を有する前記配線接続部材を、前記接続状況データに基づいて特定する接続対象特定手段と、
該特定済み配線接続部材の描画像を、前記特定済み配線接続部材についての前記描画データに基づいて、前記接続部と共に前記表示機器に表示する第２表示手段と
を備えることを特徴とする。
【００９２】
上記構成を有する本発明の他の態様の結線状況提示装置では、配線接続部材がユーザーによる特定データの入力を経て特定されると、この特定データに対応する配線接続部材の描画像を、当該配線接続部材が有する接続部を含んだものとして表示機器に表示する。この際、当該描画像を表示するための描画データを２次元的描画、３次元的描画が可能のものとすることで、表示機器における描画像、引いてはユーザーが特定した配線接続部材表示の視認性を高めることができる。
【００９３】
次に、特定した配線接続部材のうちの接続部がユーザーにより特定されると、例えば描画像における接続部のクリック、接続部のキー入力等がなされると、その接続部に接続された実装配線を、接続状況データから特定し、該特定した実装配線の他の接続先である電装品を実装配線データから特定する。そして、この特定した電装品と特定済み実装配線との接続を図る接続部を有する別の配線接続部材を、接続状況データに基づいて新たに特定する。こうして新たに特定された配線接続部材の描画像を、当該配線接続部材が有する接続部と共に表示機器に表示する。この場合であっても、当該描画像を表示するための描画データを２次元的描画、３次元的描画が可能のものとすることで、表示機器における新たな配線接続部材表示の視認性を高めることができる。
【００９４】
こうしたユーザーが接続状況の把握を求めるある配線接続部材と接続部とを、この接続部の接続対象となる新たな配線接続部材とその接続部を表示して、その画像をユーザーに表示によって提示できる。この結果、ユーザーは、ある配線接続部材とそれに含まれる接続部を特定するだけで、この配線接続部材と接続部の接続相手である新たな配線接続部材並びに接続部を、視覚を通して容易に認知することができる。よって、システムの結線状況を容易に把握でき、保守・点検作業の労力軽減を図ることができる。
【００９５】
上記の態様の結線状況提示装置は、次のようにすることもできる。
即ち、前記第１表示手段により表示された接続部のうち、ユーザーにより特定された前記接続部を特定済みであることを明示して前記表示機器に表示する第３表示手段と、
前記第２表示手段により表示された接続部のうち、前記特定済み実装配線が接続されている接続部を区別して前記表示機器に表示する第４表示手段とを有するものとすることができる。
こうすれば、次の利点がある。
【００９６】
上記したように、特定した配線接続部材のうちの接続部がクリック操作等を経てユーザーにより特定されると、その接続部は、ユーザーにより特定済みであることを明示して表示機器に表示される。これにより、ユーザーは、自身で特定した接続部を容易に視認できる。
【００９７】
また、新たに特定された配線接続部材とその接続部の表示に当たり、前記の特定済み実装配線が接続されている接続部を区別して表示機器に表示する。これにより、ユーザーには、ユーザーが特定した配線接続部材の描画像とこの接続部材に実装配線を介して接続された新たな配線接続部材の描画像とを同時に表示機器にて提示できる。しかも、ユーザーが特定した接続部を明示しつつ、この接続部に実装配線を介して直接接続された新たな接続部をも区別表示でき、両接続部同士の対応関係をユーザーに表示機器にて提示できる。この場合、ユーザーが特定した配線接続部材と新たな配線接続部材とを、左右或いは上下に並べて表示することが好ましい。
【００９８】
これらの結果、ユーザーは、ある配線接続部材とそれに含まれる接続部を特定するだけで、この配線接続部材と接続部の接続相手である新たな配線接続部材並びに接続部を、視覚を通して容易に認知することができる。よって、システムの結線状況を容易に把握でき、保守・点検作業の労力軽減を図ることができる。
【００９９】
また、次にような態様を採ることもできる。
即ち、ユーザーが特定した接続部や新たな接続部を、表示機器における配線接続部材の描画像において表示するものとすることができる。
こうすれば、配線接続部材における接続部の位置関係を容易に認知でき、保守・点検作業の労力軽減をより促進することができる。
【０１００】
また、表示機器に表示した配線接続部材を含む実装配線回路を、シンボル化した該配線接続部材とこれに接続された実装配線とを含むよう、実装配線データに基づいて表示機器に表示するようにすることもできる。
こうすれば、回路上でも配線状況を確認でき好ましい。
【０１０１】
更に、システムにおける電装品と配線接続部材と実装配線とを、その電装品の配置位置を反映させたレイアウト描画像に含ませて表示機器に表示すると共に、表示機器に表示していた配線接続部材（即ち、ユーザー特定の配線接続部材とこれに対応する配線接続部材）をレイアウト描画像において他の配線接続部材から区別して明示するようにすることもできる。
こうすれば、実際のシステムと表示されたレイアウト描画像とを対比することで、ユーザー特定の配線接続部材とこれに対応する配線接続部材を実際のシステムにおいて容易に認知できる。このため、保守・点検作業の労力をより一層軽減できる。
【０１０２】
また、本発明の他の態様のプログラムは、
複数の電装品を有するシステムにおける結線状況をコンピュータを用いて表示するプログラムであって、
前記コンピュータは、
前記システムの設計回路に基づいて前記電装品間で実装した配線の実装配線データを記憶し、
前記電装品に配線を実装するために用いられ前記電装品の接続端子と実装配線とを接続する接続部を有する配線接続部材に関しての接続部データであって、前記接続部と前記実装配線との接続状況データと、前記接続部を含む配線接続部材の描画データと、前記配線接続部材を特定するための特定データとを有する前記接続部データを前記配線接続部材ごとに記憶し、
前記コンピュータに、
前記特定データがユーザーに入力されると、該入力された特定データに対応する前記配線接続部材の前記描画データを前記接続データ記憶手段から抽出し、該抽出した描画データに基づく前記配線接続部材の描画像を、前記接続部を含んだ第１描画像として表示機器に表示する第１表示手段と、
該表示した接続部のうちある接続部がユーザーに特定されると、該特定された接続部を特定済みであることを明示して前記表示機器に表示する第２表示手段と、
前記特定された接続部に接続された前記実装配線を前記接続状況データから特定し、該特定した実装配線の他の接続先である前記電装品を前記実装データ記憶手段の前記実装配線データから特定し、該特定した電装品と前記特定済み実装配線との接続を図る前記接続部を有する前記配線接続部材を、前記接続状況データに基づいて特定する接続対象特定手段と、
該特定済み配線接続部材の描画像を、前記特定済み配線接続部材についての前記描画データに基づいて、前記接続部と共に前記表示機器に表示する第３表示手段と、
該表示した接続部のうち、前記特定済み実装配線が接続されている接続部を区別して前記表示機器に表示する第４表示手段としての機能を実現させることを特徴としている。
【０１０３】
この場合、前記コンピュータを前記第２表示手段や第４表示手段として機能させる際、前記特定済み接続部や新たな接続部を、前記第１表示手段、第３表示手段が表示した配線接続部材の描画像において表示する機能を実現させるためのプログラムとすることもできる。
また、プログラムを記録したコンピュータ読み取り可能な記録媒体とすることもできる。なお、こうしたプログラムを含むことで搬送路内に具現化されたデータ信号の態様とすることもできる。他の態様としては、こうしたプログラムを通信経路を介して供給するプログラム供給装置としての態様とすることもできる。この態様では、プログラムをネットワーク上のサーバーなどに置き、通信経路を介して、必要なプログラムをコンピュータにダウンロードし、これを実行することで、上記の結線状況提示を実現することができる。
【０１０４】
上記構成を有するプログラムおよび記録媒体でも、上記した本発明の結線状況提示装置と同様な作用・効果を奏することができ、保守・点検作業の労力軽減を図ることができる。
【図面の簡単な説明】
【図１】本発明を車両の各電装品間の結線状況を表示するものに適用した第１実施例の結線表示システム１０の概略構成を示すブロック図である。
【図２】この結線表示システム１０を用いた概念図である。
【図３】この結線表示システム１０で用いる結線データを説明するための説明図である。
【図４】この結線データに含まれているワイヤールーティングデータを説明するための説明図である。
【図５】同じく結線データに含まれるコネクタ描画データを説明する説明図である。
【図６】同じく結線データに含まれるシステム回路図データを説明するためその一部を表す説明図である。
【図７】図６に示す回路図データの続きを示す説明図である。
【図８】結線表示システム１０が構築する結線検索・表示処理の機能ブロック図である。
【図９】結線検索・表示処理を示すフローチャートである。
【図１０】検索キー入力待機画面の様子を説明するための説明図である。
【図１１】また別の検索キー入力待機画面と検索キー入力後の表示画面を説明するための説明図である。
【図１２】検索元として入力・特定されたコネクタの描画像を示す説明図である。
【図１３】分岐コネクタ（Ｊｕｎｃｔｉｏｎコネクタ）が配線間に介在する場合或いはこのコネクタが検索元コネクタとして入力された場合の画面表示の様子を説明する説明図である。
【図１４】接続先が複数有った場合の最終的な接続先コネクタを特定・表示した描画の様子を説明する説明図である。
【図１５】接続先が一つであった場合の画像表示の様子を説明する説明図である。
【図１６】図１５に示す画像においてインジェクタ＃３のシステムサーキット表示ボタンＨＳを操作した場合の画面表示の様子を説明する説明図である。
【図１７】同じくインジェクタ＃３のワイヤールーティング表示ボタンＨＷを操作した場合の画面表示の様子を説明する説明図である。
【図１８】第２実施例の結線表示システム５０の概略構成を示すブロック図である。
【図１９】サーバー３０とコンピュータ１１とを有する結線表示システム５０が構築する結線検索・表示処理の機能プロック図である。
【図２０】結線表示システム５０における結線検索・表示処理を示すフローチャートである。
【図２１】検索キー入力待機画面の様子を説明するための説明図である。
【図２２】コネクタ名称入力後の画面表示の様子を説明する説明図である。
【図２３】特定したコネクタの外観をピンと共に表示する検索中間結果の画面の様子を説明するための説明図である。
【図２４】第１実施例の図１５に相当する画面表示の様子を説明する説明図である。
【図２５】第１実施例の図１３に相当する画面表示の様子を説明する説明図である。
【図２６】第１実施例の図１４に相当する画面表示の様子を説明する説明図である。
【図２７】コンピュータ１１を身体装着可能なものとし、表示装置を頭部装着型で透過型画面を有するものとした場合の概念図である。
【図２８】システム回路図データに替わる送配全図データの一部を表す説明図である。
【図２９】この送配全図データの他の部分を表す説明図である。
【符号の説明】
１０…結線表示システム
１１…コンピュータ
１１ａ…ウェブブラウザ
１１ｂ…表示制御部
１２…ＣＲＴディスプレイ
１４…キーボード
１６…マウス
１８…ハードディスクドライブ（ＨＤＤ）
２０…ＣＤ−ＲＯＭ
２２…ＣＤドライブ
３０…サーバー
３２…ネットワーク制御回路
３４…キーボード
３６…マウス
３９…ネットワーク制御回路
４０…検索画面表示部
４２…データ処理・表示制御部
４４…データ部
５０…結線表示システム
ＡＢ…全コネクタ表示ボタン
Ｍ１…コネクターリストタグ
Ｍ２…システムサーキットタグ
ＳＢ…サーチボタン
ＨＳ…システムサーキット表示ボタン
ＨＷ…ワイヤールーティング表示ボタン
【図１】
0004008204.tif 000002
【図２】
0004008204.tif 000003
【図３】
0004008204.tif 000004
【図４】
0004008204.tif 000005
【図５】
0004008204.tif 000006
【図６】
0004008204.tif 000007
【図７】
0004008204.tif 000008
【図８】
0004008204.tif 000009
【図９】
0004008204.tif 000010
【図１０】
0004008204.tif 000011
【図１１】
0004008204.tif 000012
【図１２】
0004008204.tif 000013
【図１３】
0004008204.tif 000014
【図１４】
0004008204.tif 000015
【図１５】
0004008204.tif 000016
【図１６】
0004008204.tif 000017
【図１７】
0004008204.tif 000018
【図１８】
0004008204.tif 000019
【図１９】
0004008204.tif 000020
【図２０】
0004008204.tif 000021
【図２１】
0004008204.tif 000022
【図２２】
0004008204.tif 000023
【図２３】
0004008204.tif 000024
【図２４】
0004008204.tif 000025
【図２５】
0004008204.tif 000026
【図２６】
0004008204.tif 000027
【図２７】
0004008204.tif 000028
【図２８】
0004008204.tif 000029
【図２９】
0004008204.tif 000030